(57)【要約】【課題】採血後の採血管を検査項目等に応じて自動的に仕分けることができる自動仕分け装置を提供すること。【解決手段】本発明に係る自動仕分け装置は、患者情報及び／又は検査情報を含む識別情報をＩＣチップに記憶した無線タグを備えた採血管を用いて採血を行った後の採血後採血管を自動的に仕分ける装置であって、前記識別情報に含まれた又は関連付けされた仕分情報に応じて収容する採血管収容部と、採血管を整列させる整列部と、整列された各採血管の無線タグから識別情報を読み取る読取手段と、前記読み取った識別情報に含まれた又は関連付けされた仕分情報に基づいて、整列部にある採血管を対応する前記採血管収容部に仕分ける仕分手段とを備えていることを特徴とする。【選択図】図１
2016075566.tif 000002
【特許請求の範囲】
【請求項１】
患者情報及び／又は検査情報を含む識別情報をＩＣチップに記憶した無線タグを備えた採血管を用いて採血を行った後の採血後採血管を自動的に仕分ける装置であって、
前記識別情報に含まれた又は関連付けされた仕分情報に応じて収容する採血管収容部と、
採血管を整列させる整列部と、
整列された各採血管の無線タグから識別情報を読み取る読取手段と、
前記読み取った識別情報に含まれた又は関連付けされた仕分情報に基づいて、整列部にある採血管を対応する前記採血管収容部に仕分ける仕分手段と
を備えていることを特徴とする採血管自動仕分け装置。
【請求項２】
前記仕分情報は、検査の内容、検査を行う施設の部門、検査を行う分析装置、検査項目、注意喚起情報及び／又はＩＣチップの有無を有する
ことを特徴とする請求項１に記載の採血管自動仕分け装置。
【請求項３】
前記ＩＣチップから識別情報を読み取ることができない場合に、読み取れなかったことに基づいて、対応する採血管を所定の場所へ移送する
ことを特徴とする請求項１又は２に記載の採血管自動分析装置。
【請求項４】
前記整列部の入口に前記採血管投入部が設けられている
ことを特徴とする請求項１〜３の何れか一項に記載の採血管自動仕分け装置。
【請求項５】
前記整列部が採血管投入部の下方に設けられ、採血管投入部から送られてくる採血管が一本ずつ通過することができるように構成されている
ことを特徴とする請求項４に記載の採血管仕分け装置。
【請求項６】
採血管投入部、整列部及び採血管収容部が採血管を立てたままの状態で移動することができるように構成されている
ことを特徴とする請求項１〜４の何れか一項に記載の採血管仕分け装置。
【発明の詳細な説明】
【技術分野】
【０００１】
本発明は、採血後の無線タグ付き採血管を、その後の検査項目に応じて自動的に仕分ける装置に関する。
【背景技術】
【０００２】
従来から、患者ＩＤ等の患者情報及び／又は検体ＩＤ等の検査情報をバーコードの形態で印字したラベルを、採血前に採血管に貼り付け、そのラベル貼付後の採血管を用いた採血が行われている（特許文献１）。
このように患者情報及び／又は検査情報等の識別情報を印字したラベルが貼り付けられた採血管を用いることで、採血時に患者の取り間違えが生じることがない。
採血後の採血管は、検査室に運ばれ、検査室においてラベルに印字された情報に基づいて検査項目毎に仕分けられ、それぞれ検査項目に応じた分析装置に送られる。
ところで、最近、医療業界においても、バーコードに代えて、又はバーコードと共に無線タグを用いることが提案されてきている。この場合、採血前の採血管に、無線タグを備えたラベルを貼り付け、前記ラベルには患者ＩＤ等の患者情報及び／又は検体ＩＤ等の検査情報をバーコードの形態で印字すると共に、無線タグのＩＣチップには患者ＩＤ等の患者情報及び／又は検体ＩＤ等の検査情報を書き込む。
これにより、複数の採血管の無線タグから非接触で一括して識別情報を読み取ることが可能になるので、採血前の採血管の照合作業や採血後の採血管の搬送中の管理等が容易になる。
【先行技術文献】
【特許文献】
【０００３】
【特許文献１】特許第２８３４５９５号
【発明の概要】
【発明が解決しようとする課題】
【０００４】
しかし、上記したように無線タグ付ラベルを貼り付けた採血管を用いている場合でも、採血後の採血管を検査項目に応じて仕分ける作業は手作業で行っている。
このように採血後の採血管の検査項目に応じた仕分けを手作業で行うと、仕分けの段階で間違う可能性を完全に排除することができない。仕分けの段階で間違えが生じると、採血した検体は、全く関係のない検査に使用されてしまうことになり、その患者が本来必要な検査を行うことができないため問題である。
なにより血液が入った採血後の採血管を仕分ける作業は慎重にかつ正確に行わなければならないため肉体的にも精神的にも負担が大きく、これを病院スタッフ等に強いることは酷である。
本発明は、上記した従来の問題点を解決し、採血後の採血管を検査項目等に応じて自動的に仕分けることができる自動仕分け装置を提供することを目的としている。
【課題を解決するための手段】
【０００５】
上記した目的を達成するために、本発明に係る自動仕分け装置は、患者情報及び／又は検査情報を含む識別情報をＩＣチップに記憶した無線タグを備えた採血管を用いて採血を行った後の採血後採血管を自動的に仕分ける装置であって、
前記識別情報に含まれた又は関連付けされた仕分情報に応じて収容する採血管収容部と、
採血管を整列させる整列部と、
整列された各採血管の無線タグから識別情報を読み取る読取手段と、
前記読み取った識別情報に含まれた又は関連付けされた仕分情報に基づいて、整列部にある採血管を対応する前記採血管収容部に仕分ける仕分手段と
を備えていることを特徴とする。
前記仕分情報には、例えば、検査の内容、検査を行う施設の部門、検査を行う分析装置、検査項目、注意喚起情報及び／又はＩＣチップが含まれ得る。
前記ＩＣチップから識別情報を読み取ることができない場合に、読み取れなかったことに基づいて、対応する採血管を所定の場所へ移送するように構成してもよい。
前記整列部の入口に前記採血管投入部が設けられ得る。
この場合、前記整列部は、前記採血管投入部の下方に設けられ、かつ、採血管投入部から送られてくる採血管が一本ずつ通過可能に構成され得る。
前記採血管投入部は、採血管を立てた状態で投入可能に構成してもよく、採血管を横にした状態で投入可能に構成してもよい。また、採血管をラックに立てた状態で投入可能に構成してもよい。この場合、整列部も採血管をラックに立てた状態で通過可能に構成され得、仕分手段は、例えば、ロボットアーム等で構成され得る。
また、前記仕分手段は、前記整列部の出口から各収容部に繋がる複数の通路で構成され得、前記通路において、自然落下により、又は空気圧により採血管が移送されるように構成され得る。
また、採血管投入部、整列部及び採血管収容部が全て採血管を立てたままの状態で移動することができるように構成してもよい。
【発明の効果】
【０００６】
本発明に係る自動仕分け装置は、患者情報及び／又は検査情報を含む識別情報をＩＣチップに記憶した無線タグを備えた採血管を用いて採血を行った後の採血後採血管を自動的に仕分ける装置であって、前記識別情報に含まれた又は関連付けされた仕分情報に応じて収容する採血管収容部と、採血管を整列させる整列部と、整列された各採血管の無線タグから識別情報を読み取る読取手段と、前記読み取った識別情報に含まれた又は関連付けされた仕分情報に基づいて、整列部にある採血管を対応する前記採血管収容部に仕分ける仕分手段とを備えているので、採血後の採血管を、無線タグに記憶された識別情報に関連付けされた仕分情報に応じて全自動的に仕分けることが可能になるので、間違いがなくなり、かつ、病院スタッフに仕分けのための肉体的及び精神的に厳しい作業を強いる必要がなくなる。
【図面の簡単な説明】
【０００７】
【図１】本発明に係る自動仕分け装置の第一実施例の概略側面図である。
【図２】図１に示した仕分け装置の概略上面図である。
【図３】本発明に係る自動仕分け装置の第二実施例の概略側面図である。
【発明を実施するための形態】
【０００８】
以下、添付図面に示した実施例を参照しながら本発明に係る自動仕分け装置の実施の形態を説明していく。
図１は本発明に係る自動仕分け装置の概略側面図であり、図２は図１に示した自動仕分け装置の概略上面図である。
図中、符号１は本発明に係る自動仕分け装置を示している。
この自動仕分け装置１は、患者情報及び／又は検査情報を含む識別情報をＩＣチップに記憶した無線タグを備えた採血管を、識別情報に含まれた又は識別情報に関連付けされた仕分情報に従って自動的に仕分けするための装置である。
具体的には、例えば、採血管を分析装置の種類に応じて仕分けする場合には、分析装置の種類に関する情報を仕分情報として用いることができる。この場合、分析装置の種類に関する情報は、ＩＣチップに記憶される識別情報に含まれていてもよいが、識別情報には含めずに識別情報と関連付けしておいてもよい。具体的には、例えば、ＩＣチップに記憶される識別情報に、採血管毎に付与された個別検体情報を含め、各個別検体情報と分析装置の種類に関する情報とを関連付けして上位コンピュータ等に記憶しておいてもよい。
この実施例では、各採血管のＩＣチップには、仕分情報としての分析装置の種類に関する情報が予め記憶されている。
各採血管の無線タグは予め採血管に設けられていてもよく、また、医師からのオーダーに基づいて採血管に必要な情報を書き込んだ無線タグ付ラベルを貼り付けるようにしてもよい。
【０００９】
この自動仕分け装置１はハウジング２を有し、該ハウジング２の上部には、採血管を横にした状態で投入可能な導入部としてのホッパー３が設けられている。
ホッパー３の下端には、採血管が横になった状態で一本ずつ通過可能な整列部４が設けられている。この整列部４によりホッパー３に入れられた採血管は一本ずつ並べられた状態になる。
この整列部４に沿って無線タグ読取装置５が設けられている。該読取装置５は、各採血管に設けられた無線タグのＩＣチップから仕分情報を読み取る。
整列部４の下方には、第一仕分コンベア６、第二仕分コンベア７及び第三仕分コンベア８が設けられており、第二仕分コンベア７及び第三仕分コンベア８の下方には仕分後の採血管を収容する採血管収容部９〜１２が設けられている。
上記したように構成された自動仕分け装置１は、制御装置１３を備え、制御装置１３は、読取装置５から入力される仕分情報に基づいて仕分コンベア６〜８の動作を制御する。
【００１０】
以下に、本発明に係る自動仕分け装置１の動作について説明していく。
ホッパー３にランダムに投入された採血管は、整列部４において一列に並べられる。
採血管が整列部４を通過する時に、読取装置５が採血管に設けられた無線タグのＩＣチップから、その採血管の仕分情報（この実施例では、分析装置に関する情報）を読み取り、読取装置５は、読み取った仕分情報と読取順番に関する情報とを関連付けして制御装置１３に送る。ここで読取順番に関する情報とは、その採血管が読取装置５によって何番目に読み取られたかを表す情報である。
制御措置１３は、読取装置５から送られてくる仕分情報及び読取順番情報に基づいて、仕分コンベア６〜８を順方向又は逆方向に動かして、採血管を対応する試験管収容部に導く。
具体的には、例えば、採血管収容部９が分析装置Ａ用の収容部であり、採血管収容部１０が分析装置Ｂ用の収容部であり、採血管収容部１１が分析装置Ｃ用の収容部であり、かつ、採血管収容部１２がエラー採血管用の収容部であり、そして読取装置５で読み取った仕分情報が分析装置Ｃである場合、制御装置１３は、第一仕分コンベア６を右回りに動かして整列部４から送られてきた採血管を第三仕分コンベア８へ送り、次いで、第三仕分コンベア８を左周りに動かすことにより第一仕分コンベア８から送られてきた採血管を分析装置Ｃ用の採血管収容部１１に導く。
また、制御装置１３は、読取装置５が整列部４にある採血管から情報を読み取ることができない場合には、読み取れなかったことに基づいて、当該採血管を、エラー採血管用の採血管収容部１２に導くようにコンベアを動かす。具体的には、第一仕分コンベア６を右回りに動かして採血管を第三仕分コンベア８へ送り、次いで、第三仕分コンベア８を右回りに動かして採血管を採血管収容部１２へ導く。これにより、例えば、無線タグが壊れている採血管や、又は、無線タグ付ラベルではなく、通常のラベルが貼られた採血管を仕分けることが可能になる。
【００１１】
次に、本発明に係る自動仕分け装置の第二実施例について図３を参照しながら説明する。
図３は、本発明に係る自動仕分け装置の第二実施例の概略側面図である。
図面に示すように、仕分け装置は、採血管導入部２０、整列部２１、無線タグ読取装置２２、採血管収容部２３〜２６、仕分手段２７及び制御装置２８を備えている。
この仕分け装置では、採血管導入部２０、整列部２１及び採血管収容部２３〜２６は、全て採血管を立てたままの状態で移動することができるように構成されており、これにより、仕分中の血液等の漏れや採血管の破損等が生じないようにされている。
採血管導入部２０は、有底円筒形状であり、採血管を立てたまま並べて収容することができるように構成されている。この採血管導入部２０の底部には、下方に設けられた整列部２１に採血管を落下させるためのシャッター付開口（図示せず）設けられており、採血管導入部２０自体が回転して、収容された採血管が前記シャッター付開口の真上に到達した時に制御装置２８がシャッターを開いて採血管を立てたまま整列部２１に落下させることができるように構成されている。
整列部２１に採血管が落下してくると、無線タグ読取装置２２が整列部２１にある採血管に設けられた無線タグのＩＣチップから、その採血管の仕分情報を読み取り、読取装置２２は、読み取った仕分情報と読取順番に関する情報とを関連付けして制御装置２８に送る。
制御措置２８は、読取装置２２から送られてくる仕分情報及び読取順番情報に基づいて、仕分手段２７により採血管収容部２３〜２６を所定の位置に移動する。具体的には、仕分手段２７は、仕分情報に基づいて、整列部２１にある採血管が収容されるべき採血管収容部２３〜２６が、整列部２１の真下に位置するように採血管収容部２３〜２６を移動する。制御装置２８は、採血管が収容されるべき採血管収容部２３〜２６が、整列部２１の真下に到達した時に整列部２１の底部に設けられたシャッターを開いて整列部２１の採血管を所定の採血管収容部２３〜２６に落下させる。
【００１２】
上記した実施例では、上方に採血管導入部を設け、下方に仕分け後の採血管収容部を設け、採血管が自然落下しながら進むように構成されているので、移送手段を最低限に抑えることができ、結果として、構造が簡単でコストが安価で、しかも高速仕分け装置を提供することが可能になるという効果を奏する。
【００１３】
上記した実施例では、採血管を分析装置の種類及びＩＣチップの有無に基づいて仕分けを行っているが、仕分情報の内容は本実施例に限定されることなく、仕分け装置を使用する施設等に応じて最適な条件が選択され得る。例えば、仕分情報としては、検査の内容、検査を行う施設の部門、検査を行う分析装置、検査項目、注意喚起情報及び／又はＩＣチップの有無が挙げられる。注意喚起情報とは、例えば、感染症患者の血液である旨の情報であり得る。
【符号の説明】
【００１４】
１  自動仕分け装置
２  ハウジング
３  ホッパー（導入部）
４  整列部
５  無線タグ読取装置
６  第一仕分コンベア
７  第二仕分コンベア
８  第三仕分コンベア
９  採血管収容部（分析装置Ａ用）
１０  採血管収容部（分析装置Ｂ用）
１１  採血管収容部（分析装置Ｃ用）
１２  採血管収容部（エラー用）
１３  制御装置
２０  採血管導入部
２１  整列部
２２  無線タグ読取装置
２３  採血管収容部
２４  採血管収容部
２５  採血管収容部
２６  採血管収容部
２７  仕分手段
２８  制御装置
【図１】
2016075566.tif 000003
【図２】
2016075566.tif 000004
【図３】
2016075566.tif 000005